(57)【要約】【課題】排紙ユニットが軽量かつコンパクトであり、排紙された用紙を確実に、しかも曲がりなく載置可能である。【解決手段】画像形成装置本体１Ａから搬出された画像形成済みの用紙を搬送して、排紙口１０２から排紙ユニット４００の排紙皿４１上に載置し、この排紙ユニット４００は排紙口１０２を上下に跨ぎ昇降する用紙後処理装置ＦＳにおいて、排紙ユニット４００は、排紙皿取付部４１０ａを有する一対の側壁体４１０と、排紙皿取付部４１０ａに取り付けられた複数の排紙皿４１とで１つのユニットとしている。【選択図】図５
2005097002.tif 000002
【特許請求の範囲】
【請求項１】
画像形成装置本体から搬出された画像形成済みの用紙を搬送して、排紙口から排紙ユニットの排紙皿上に載置し、この排紙ユニットは前記排紙口を上下に跨ぎ昇降する用紙後処理装置において、
前記排紙ユニットは、排紙皿取付部を有する一対の側壁体と、前記排紙皿取付部に取り付けられた複数の排紙皿とで１つのユニットとしたことを特徴とする用紙後処理装置。
【請求項２】
前記排紙ユニットは、少なくとも１枚以上の排紙皿を、前記一対の側壁体に取り付けて増設可能であることを特徴とする請求項１に記載の用紙後処理装置。
【請求項３】
前記一対の側壁体は、排紙皿に積載される用紙の排紙方向と直交する方向の移動を規制する平面を有することを特徴とする請求項１に記載の用紙後処理装置。
【請求項４】
前記一対の側壁体の平面は、用紙の排紙方向の曲がりを矯正可能であることを特徴とする請求項３に記載の用紙後処理装置。
【請求項５】
前記排紙皿は、用紙が積載される斜面と、この斜面に連なり画像形成装置本体側に用紙が移動することを規制する立壁とを有することを特徴とする請求項１又は請求項２に記載の用紙後処理装置。
【請求項６】
前記排紙皿の立壁は、前記排紙口に対向して位置し用紙の逆流を規制可能に取り付けられることを特徴とする請求項５に記載の用紙後処理装置。
【請求項７】
前記排紙皿の斜面に、排紙された用紙を積載可能に排紙方向と直交する方向に対して中央をＵ字形状に凹ませた凹部を有することを請求項５に記載の用紙後処理装置。
【請求項８】
前記請求項１乃至請求項７のいずれか１項に記載の用紙後処理装置を備えてなることを特徴とする画像形成装置。
【発明の詳細な説明】
【技術分野】
【０００１】
この発明は、電子写真複写機、プリンタ、ファクシミリ、これらの複数の機能を有する複合機や印刷機等の画像形成装置により画像を形成された用紙を受け入れ、後処理を行う用紙後処理装置及び画像形成装置に関するものである。
【背景技術】
【０００２】
画像形成装置本体より排紙される画像記録済の複数枚の用紙を、コピー１部ごとに丁合して綴じ手段により綴じ合わせる装置として用紙後処理装置が利用される。
【０００３】
この用紙後処理装置は、複写機やプリンタ等の画像形成装置本体と機能が接続されていて、コピー又はプリントプロセスのシーケンス作動に対応して駆動するようになっている。
【０００４】
用紙後処理装置の一例として、画像形成装置本体から搬出された画像形成済みの用紙は、綴じ手段、シフト手段、製本手段、穴あけ手段等の後処理手段により後処理した後、排紙手段により排紙皿上に排出される。
【０００５】
このような用紙後処理装置に関しては、すでに特開昭６０−１４２３５９号、同６０−１５８４６３号、同６２−２３９１６９号更に特開昭６２−２８８００２号、同６３−２６７６６７号、特開平２−２７６６９１号、特公平５−４１９９１号の各公報による提案が開示されている。
【特許文献１】特開昭６０−１４２３５９号公報（第１頁〜第２２頁、図１〜図６）
【特許文献２】特開昭６０−１５８４６３号公報（第１頁〜第２０頁、図１〜図６）
【特許文献３】特開昭６２−２３９１６９号公報（第１頁〜第１２頁、図１〜図５）
【特許文献４】特開昭６２−２８８００２号公報（第１頁〜第１０頁、図１〜図６）
【特許文献５】特開昭６３−２６７６６７号公報（第１頁〜第６頁、図１〜図６）
【特許文献６】特開平２−２７６６９１号公報（第１頁〜第１７頁、図１〜図１５）
【特許文献７】特公平５−４１９９１号公報（第１頁〜第４頁、図１〜図２）
【発明の開示】
【発明が解決しようとする課題】
【０００６】
このように従来の用紙後処理装置には、画像形成装置本体から搬出された画像形成済みの用紙を１枚ずつ搬送して排紙皿上に載置し、また画像形成済みの用紙を中間スタッカ上に積載して整合し、後処理した後排出して排紙皿上に載置する場合がある。
【０００７】
画像形成装置本体から搬出された画像形成済みの用紙を搬送して、排紙口から排紙ユニットの排紙皿上に載置視、この排紙ユニットは排紙口を上下に跨ぎ昇降するものでは、排紙ユニットが上下動することから、排紙ユニットが軽量かつコンパクトであり、排紙された用紙を確実に、しかも曲がりなく載置可能な構造が要望されている。
【０００８】
この発明は、上記の課題を解決するためになされたものであり、排紙ユニットが軽量かつコンパクトであり、排紙された用紙を確実に、しかも曲がりなく載置可能な用紙後処理装置及び画像形成装置を提供することを目的とするものである。
【課題を解決するための手段】
【０００９】
前記課題を解決し、かつ目的を達成するために、この発明は、以下のように構成した。
【００１０】
請求項１に記載の発明は、『画像形成装置本体から搬出された画像形成済みの用紙を搬送して、排紙口から排紙ユニットの排紙皿上に載置し、この排紙ユニットは前記排紙口を上下に跨ぎ昇降する用紙後処理装置において、前記排紙ユニットは、排紙皿取付部を有する一対の側壁体と、前記排紙皿取付部に取り付けられた複数の排紙皿とで１つのユニットとしたことを特徴とする用紙後処理装置。』である。
【００１１】
請求項２に記載の発明は、『前記排紙ユニットは、少なくとも１枚以上の排紙皿を、前記一対の側壁体に取り付けて増設可能であることを特徴とする請求項１に記載の用紙後処理装置。』である。
【００１２】
請求項３に記載の発明は、『前記一対の側壁体は、排紙皿に積載される用紙の排紙方向と直交する方向の移動を規制する平面を有することを特徴とする請求項４に記載の用紙後処理装置。』である。
【００１３】
請求項４に記載の発明は、『前記一対の側壁体の平面は、用紙の排紙方向の曲がりを矯正可能であることを特徴とする請求項３に記載の用紙後処理装置。』である。
【００１４】
請求項５に記載の発明は、『前記排紙皿は、用紙が積載される斜面と、この斜面に連なり画像形成装置本体側に用紙が移動することを規制する立壁とを有することを特徴とする請求項１又は請求項２に記載の用紙後処理装置。』である。
【００１５】
請求項６に記載の発明は、『前記排紙皿の立壁は、前記排紙口に対向して位置し用紙の逆流を規制可能に取り付けられることを特徴とする請求項５に記載の用紙後処理装置。』である。
【００１６】
請求項７に記載の発明は、『前記排紙皿の斜面に、排紙された用紙を積載可能に排紙方向と直交する方向に対して中央をＵ字形状に凹ませた凹部を有することを請求項５に記載の用紙後処理装置。』である。
【００１７】
請求項８に記載の発明は、『前記請求項１乃至請求項７のいずれか１項に記載の用紙後処理装置を備えてなることを特徴とする画像形成装置。』である。
【発明の効果】
【００１８】
前記構成により、この発明は、以下のような効果を有する。 
【００１９】
この請求項１に記載の発明によれば、排紙ユニットは、排紙皿取付部を有する一対の側壁体と、排紙皿取付部に取り付けられた複数の排紙皿とで１つのユニットとしたから、部品点数が少なく、軽量かつコンパクトである。
【００２０】
この請求項２に記載の発明によれば、必要に応じて少なくとも１枚以上の排紙皿を一対の側壁体に取り付けて増設可能である。
【００２１】
この請求項３に記載の発明によれば、一対の側壁体の平面により排紙皿に積載される用紙が排紙方向と直交する方向に移動することを規制することができる。
【００２２】
この請求項４に記載の発明によれば、一対の側壁体の平面は、用紙の排紙方向の曲がりを矯正でき、これにより部品点数が少なく、排紙ユニット幅を小さくすることができる。
【００２３】
この請求項５に記載の発明によれば、用紙が斜面に積載され、しかも立壁が用紙が画像形成装置本体側に移動することを規制をすることができる。
【００２４】
この請求項６に記載の発明によれば、排紙皿の立壁が排紙口に対向して位置し用紙の逆流を規制することができる。
【００２５】
この請求項７に記載の発明によれば、排紙皿の斜面に排紙方向と直交する方向に対して中央をＵ字形状に凹ませた凹部を有することから、排紙された用紙をずれなく排紙皿上に積載することができる。
【００２６】
この請求項８に記載の発明によれば、排紙ユニットが軽量かつコンパクトであり、排紙された用紙を確実に、しかも曲がりなく載置することができる。
【発明を実施するための最良の形態】
【００２７】
次に、この発明の綴じ手段を有する用紙後処理装置を備えた画像形成装置の実施の形態を図面に基づいて説明するが、この発明は、この実施の形態に限定されない。
【００２８】
図１は用紙後処理装置ＦＳと自動原稿送り装置ＤＦと画像読み取り装置（スキャナ）ＳＣとを装備した画像形成装置１の全体構成図である。
【００２９】
図示の画像形成装置本体１Ａは、画像処理部２、画像書き込み部３、画像形成部４、高圧電源部５、カセット給紙部６、定着装置７、排紙部８、自動両面コピーのための再搬送手段（ＡＤＵ）９を備えている。
【００３０】
画像形成装置本体１Ａの上部には、画像読み取り装置ＳＣと自動原稿送り装置ＤＦが搭載されている。画像形成装置本体１Ａの図示の左上部の排紙部８側には、用紙後処理装置ＦＳが連結されている。
【００３１】
自動原稿送り装置ＤＦの原稿台上に第１面を上向きにして載置された原稿ｄは、矢印方向に搬送され画像読み取り装置ＳＣの光学系により原稿の片面又は両面の画像が読みとられ、ＣＣＤイメージセンサＣ１に読み込まれる。
【００３２】
ＣＣＤイメージセンサＣ１により光電変換されたアナログ信号は、画像処理部２において、アナログ処理、Ａ／Ｄ変換、シェーディング補正、画像圧縮処理等を行った後、画像書き込み部３に信号を送る。
【００３３】
画像書き込み部３においては、半導体レーザからの出力光が画像形成部４の感光体ドラム４Ａに照射され、潜像を形成する。画像形成部４においては、帯電、露光、現像、転写、分離、クリーニング等の処理が行われ、カセット給紙部６から搬送された用紙Ｓに画像が転写される。画像を担持した用紙Ｓは、定着装置７により定着され、排紙部８から用紙後処理装置ＦＳに送り込まれる。或いは排紙路切り替え板８Ａにより再搬送手段９に送り込まれた片面画像処理済みの用紙Ｓは、再び画像形成部４において両面画像処理された後、排紙部８の排紙ローラ８Ｂにより用紙後処理装置ＦＳに送り込まれる。
【００３４】
用紙後処理装置ＦＳは、画像形成装置本体１Ａの左上部に着脱可能に装着される。用紙後処理装置ＦＳは、用紙搬送手段１０、排紙手段２０、後処理手段３０、昇降排紙手段４０からなり、これらは用紙後処理装置本体１００に配置される。
【００３５】
図１において、画像形成装置本体１Ａ内の右寄り側には、画像形成部４を中心にして、画像形成装置本体１Ａの高さ方向下方にカセット給紙部６が、上方に定着装置７、排紙部８が設けられている。この垂直配列構成により、ほぼ垂直方向の用紙搬送路が形成され
る。カセット給紙部６から送り出された用紙Ｓは、この垂直上方の用紙搬送路に沿って搬送されて画像形成装置本体１Ａ外に排出される。
【００３６】
この垂直方向用紙搬送路にほぼ平行して、再搬送手段９による用紙搬送路が形成されている。
【００３７】
上記の垂直方向の用紙搬送路、を形成することにより、カセット給紙部６から排紙部８に至る最短距離の用紙搬送路が構成される。
【００３８】
画像形成装置本体１Ａの図示の上方の空間部に用紙後処理装置ＦＳの用紙搬送手段１０が収容される。用紙搬送手段１０の用紙入口部１１は、画像形成装置本体１Ａの排紙部８の排紙ローラ８Ｂに接続する。また、この装着状態では、画像形成装置本体１Ａの図示の
左上方の空間部に、用紙後処理装置ＦＳの排紙手段２０及び後処理手段３０が収容される。複数の排紙皿（ビンとも称す）４１と昇降駆動手段４２から成る昇降排紙手段４０は、後処理手段３０の図示左側に位置する。
【００３９】
図２は用紙後処理装置ＦＳの断面図である。
【００４０】
図２において、用紙後処理装置ＦＳは、用紙搬送手段１０、排紙手段２０、後処理手段３０、昇降排紙手段４０から成り、ユニット化され、画像形成装置本体１Ａに対して着脱可能であり、ガイドレール等の移動手段により、図面の手前側に向かって引き出すことが
できる。
【００４１】
用紙搬送手段１０は、排紙部８の排紙ローラ８Ｂに対向する用紙入口部１１に接続され、排出された用紙Ｓを排紙手段２０に案内する用紙搬送案内板（以下、案内板と称す）１２，１３、用紙Ｓを挟持して搬送する駆動ローラと従動ローラとから成る搬送ローラ１４，１５，１６とから構成されている。これらの案内板１２，１３及び搬送ローラ１４，１５，１６から成る用紙通路は、ほぼ水平な搬送路を形成している。搬送ローラ１４，１５，１６の各駆動ローラは搬送モータＭ１により動力伝達手段１７を介して正回転される。
【００４２】
排紙手段２０は、駆動源である排紙モータＭ２に動力伝達手段２８を介して接続して正逆回転する排紙上ローラ２１と排紙下ローラ２２及び圧着手段２３からなる。排紙上ローラ２１はトルクリミッタにより上下動し、圧着手段２３により排紙下ローラ２２を押圧す
る。
【００４３】
排紙手段２０は、更に、用紙搬送手段１０により搬送された複数枚の用紙Ｓを積載する中間スタッカ２４、中間スタッカ２４上に積載される用紙Ｓの幅方向を揃えて規制する整合手段２５、中間スタッカ２４上に積載される用紙Ｓの後端部を突き当てて搬送方向の位置決めをする後端規制手段２６を備えている。
【００４４】
後処理手段３０は、綴じ針（ステイプル針）ＳＰを用紙束に打ち込む綴じ手段（ステイプラ）３１、この綴じ手段３１を所定の位置に移動、及び回転させる移動手段３２から構成されている。
【００４５】
昇降排紙手段４０は、傾斜配置した複数の排紙皿４１を有する排紙ユニット４００、この排紙ユニット４００を垂直方向に昇降させる昇降駆動手段４２から構成されている。
【００４６】
なお、図示の用紙後処理装置ＦＳは、４段の排紙皿４１を有するが、昇降排紙手段４０の下方及び上方に余裕空間が存在するから、更にビン数を増設した用紙後処理装置（例えば１０〜２０ビンの用紙後処理装置）ＦＳも装着可能である。また、この用紙後処理装置ＦＳは、メールボックス等の用紙仕分け機能も兼ねることができる。
【００４７】
図３は用紙後処理装置ＦＳ内の用紙Ｓの搬送、排紙過程を示す模式図である。
【００４８】
用紙後処理装置ＦＳは、画像形成装置本体１Ａから搬出された画像形成済みの用紙Ｓを１枚ずつ搬送して排紙皿４１上に載置する第１の排紙経路Ｐ１と、画像形成済みの用紙Ｓを中間スタッカ２４上に積載し、整合手段２５により整合し、後処理手段３０により後処
理した後、排紙手段２０により排出して、排紙皿４１上に載置する第２の排紙経路Ｐ２を有する。第１の排紙経路Ｐ１と第２の排紙経路Ｐ２の排紙を共通の排紙モータＭ２の駆動で行なう。
（１）第１の排紙経路Ｐ１（用紙搬送路、図３（ａ）参照）
画像形成装置１の排紙部８の排紙ローラ８Ｂから排出された画像形成済みの用紙Ｓは、用紙後処理装置ＦＳの用紙搬送手段１０の用紙入口部１１に導入され、案内板１２内の搬送路を通過し、正回転する搬送ローラ１４，１５，１６に挟持されて搬送される。
【００４９】
更に、用紙Ｓの後端部が、搬送ローラ１６の挟持位置を通過する。この時、排紙モータＭ２により回転する排紙上ローラ２１は、排紙下ローラ２２と挟持して用紙Ｓを排紙する。
【００５０】
用紙Ｓの先端部は、搬送下流側の排紙下ローラ２２にて搬送されて、昇降排紙手段４０の排紙皿４１の傾斜面に沿って上昇し、用紙Ｓの後端部が自重により排紙皿４１の傾斜面上に落下して積載される。
（２）第２の排紙経路Ｐ２
ａ．用紙排紙（用紙搬送路、図３（ｂ）参照）
画像形成装置１の排紙部８の排紙ローラ８Ｂから排出された画像形成済みの用紙Ｓは、用紙後処理装置ＦＳの用紙搬送手段１０の用紙入口部１１に導入され、案内板１２内の搬送路を通過し、正回転する搬送ローラ１４，１５，１６に挟持されて搬送される。
【００５１】
更に、用紙Ｓの後端部が、搬送ローラ１６の挟持位置を通過する。この時、排紙上ローラ２１は、開放位置に上昇して停止している。
【００５２】
用紙Ｓの先端部は、搬送下流側の排紙下ローラ２２を通過し、昇降排紙手段４０の排紙皿４１の傾斜面に沿って上昇してゆく。排紙ローラ２１が下降して、逆回転して用紙Ｓを下降させて、中間スタッカ２４の傾斜面上に当接する。
【００５３】
ｂ．用紙後処理前の逆送排紙（用紙搬送路、図３（ｃ）参照）
搬送ローラ１５の近傍に設けたセンサが、用紙Ｓの後端部の通過を検知した後、タイマにより所定時間を計時後、排紙上ローラ２１が逆回転駆動されて下降し、用紙Ｓに圧接する。同一駆動源である排紙モータＭ２により駆動される排紙下ローラ２２はクラッチにより駆動を停止している。なお、排紙上ローラ２１は、スポンジローラ等の柔軟な発泡体からなり、排紙下ローラ２２上の用紙Ｓに軽圧接する。
【００５４】
この排紙上ローラ２１の逆回転切り替えにより、この逆回転する排紙上ローラ２１によって軽圧接された用紙Ｓは、中間スタッカ２４上で斜め下方に搬送され、用紙Ｓの後端部が後端規制手段２６に突き当たって、搬送が停止される。
【００５５】
中間スタッカ２４の両側面に移動可能に設けた一対の整合手段２５は、用紙搬送方向と直交する方向に移動可能であり、用紙Ｓが中間スタッカ２４上を搬送される用紙受け入れ時には、用紙幅より広く開放され、中間スタッカ２４上を搬送され後端規制手段２６に
当接して停止する時には、用紙Ｓの幅方向の側縁を軽打して用紙束の幅揃えを行う。
【００５６】
後続の用紙Ｓも同様に、用紙搬送路、を通過して、逆回転する排紙上ローラ２１により搬送されて、中間スタッカ２４上の先行の用紙Ｓの上面に順次積載され、その都度、幅整合されて後端規制手段２６に当接して停止する。
【００５７】
１冊分の全ての用紙Ｓの後端部が後端規制手段２６に当接した後、綴じ手段３１により、用紙束に図示しない綴じ針が打ち込まれ、小冊子が形成される。
【００５８】
中間スタッカ２４は、後端規制手段２６側が低くなる緩傾斜面であり、用紙Ｓは排紙上ローラ２１による搬送により下降して、後端規制手段２６に当接する。綴じ手段３１も、中間スタッカ２４と同様に傾斜配置され、中間スタッカ２４上を下降する用紙Ｓの後端部
を受容し、綴じ処理を行う。
【００５９】
ｃ．用紙後処理後の排紙（用紙搬送路、図３（ｄ）参照）
綴じ処理が終了すると、停止していた排紙上ローラ２１は正回転に切り替えられ、排紙下ローラ２２と、圧着手段２３により強圧接に切り替えられた排紙上ローラ２１とに挟持された用紙束は、斜め上方に搬送され、排紙皿４１内に収容される。
【００６０】
また、１個の正逆回転する排紙モータＭ２とトルクリミッタとの併用により、排紙上ローラ２１と排紙下ローラ２２の正逆回転と、排紙上ローラ２１の昇降駆動とを行う。
【００６１】
図４は排紙モータの制御ブロック図である。画像形成装置本体１Ａには、画像形成装置本体制御部５０が備えられ、この画像形成装置本体制御部５０にサイズ検出手段Ｓ１から用紙Ｓのサイズ情報が送られる。サイズ検出手段Ｓ１は、図１に示すように用紙搬送
路に配置される。
【００６２】
また、用紙後処理装置ＦＳには、用紙後処理装置制御部５1が備えられ、用紙後処理装置制御部５１は、カウント部５２を有する。カウント部５２に用紙枚数検出手段Ｓ２から用紙Ｓの枚数情報が送られる。用紙枚数検出手段Ｓ２は、図２及び図３に示すように、綴
じ手段３１の入口に配置される。
【００６３】
第１の排紙経路Ｐ１の排紙は、用紙後処理装置制御部５１からの駆動信号により排紙モータ駆動回路５３を介して排紙モータＭ２が駆動される。第２の排紙経路Ｐ２の排紙は、用紙のサイズ及び枚数に応じて用紙後処理装置制御部５１からの制御信号により排紙モー
タ電流制御回路５４を介して排紙モータ駆動回路５３の電流値を、第１の排紙経路Ｐ１の排紙時の電流値より大きくして排紙モータＭ２が駆動される。
【００６４】
このように第２の排紙経路Ｐ２の排紙時に排紙モータＭ２の電流値を、第１の排紙経路Ｐ１の排紙時の電流値より大きくすることで、第１の排紙経路Ｐ１の排紙時では電流値が小さいため排紙モータＭ２の電力消費を抑えて節電することができる。
【００６５】
また、この実施例では、第２の排紙経路Ｐ２の排紙時に排紙モータＭ２の電流値を、用紙のサイズ及び枚数に応じて制御しているが、第１の排紙経路Ｐ１の排紙時も含めて用紙のサイズ又は枚数に応じて制御するようにしてもよい。
【００６６】
また、排紙モータＭ２の電流値を、用紙のサイズ及び枚数に応じて制御して排紙速度を一定にするようにし、迅速かつ安定した排紙を行なうことができる。
【００６７】
なお、この実施の形態では、サイズ検出手段Ｓ１から用紙Ｓのサイズ情報が送られ、また用紙枚数検出手段Ｓ２から用紙Ｓの枚数情報が送られるように構成しているが、オペレータが操作部で用紙Ｓのサイズ及び枚数を設定するようにしてもよい。
【００６８】
図５乃至図９は排紙ユニットを示し、図５は排紙ユニットを備える用紙後処理装置の平面図、図６は排紙ユニットの側面図、図７は排紙皿を増設した排紙ユニットの側面図、図８は排紙ユニットを画像形成装置本体に組み付けた状態を示す側面図、図９は排紙皿の正
面図である。
【００６９】
用紙後処理装置ＦＳの用紙後処理装置本体１００には、ガイド部１０１に排紙ユニット４００が組み付けられ、排紙ユニット４００は用紙後処理装置本体１００の排紙口１０２を上下に跨ぎ昇降する。排紙ユニット４００は、排紙皿取付部４１０ａを有する一対の側
壁体４１０と、排紙皿取付部４１０ａに取り付けられた複数の排紙皿４１とで１つのユニットとしている。一対の側壁体４１０の両側に、排紙皿４１の両側部がビス４１２により締付固定され、一対の側壁体４１０と複数の排紙皿４１とで１つのユニットとしたから、部品点数が少なく、軽量かつコンパクトである。
【００７０】
また、排紙ユニット４００は、少なくとも１枚以上の排紙皿４１を、一対の側壁４１０に取り付けて増設可能である。この実施の形態では、図７及び図８に示すように、２枚の排紙皿４１が一対の側壁体４１０の両側に、排紙皿４１の両側部がビス４１２により締付固定される。このように、必要に応じて少なくとも１枚以上の排紙皿４１が一対の側壁体４１０に取り付けて増設可能である。
【００７１】
一対の側壁体４１０は、排紙皿４１に積載される用紙Ｓの排紙方向と直交する方向の移動を規制する平面４１０ｂを有し、この平面４１０ｂが対向して配置され排紙皿４１に積載される用紙Ｓが排紙方向と直交する方向に移動することを規制する。また、一対の側壁
体４１０の平面４１０ｂは、用紙Ｓの排紙方向の曲がりを矯正可能であり、これにより部品点数が少なく、排紙ユニット幅を小さくすることができる。
【００７２】
排紙皿４１は、用紙Ｓが積載される斜面４１ａと、この斜面４１ａに連なり画像形成装置本体側に用紙Ｓが移動することを規制する立壁４１ｂとを有し、用紙Ｓが斜面４１ａに積載され、しかも立壁４１ｂが用紙Ｓが画像形成装置本体側に移動することを規制をする
ことができる。
【００７３】
排紙皿４１の立壁４１ｂは、図８に示すように、排紙口１０２に対向して位置し用紙の逆流を規制可能に取り付けられ、排紙皿４１が上下動しても排紙皿４１の立壁４１ｂが排紙口１０２に対向して位置していることから、用紙Ｓの逆流を規制することができる。
【００７４】
また、排紙皿４１の斜面４１ａには、排紙方向にリブ４１ｃが形成され、リブ４１ｃにより用紙Ｓの摩擦抵抗を小さくして円滑に積載可能になっている。また、斜面４１ａには、排紙方向と直交する方向に対して中央をＵ字形状に凹ませた凹部４１ｄが形成され、この凹部４１ｄを有することから、排紙された用紙Ｓをずれなく排紙皿４１上に積載することができる。
【００７５】
なお、この発明の実施の形態では、複写機に接続した用紙後処理装置を示したが、プリンタ、ファクシミリ等の画像形成装置や、これらの複数の機能を有する複合機及び軽印刷機等と接続して使用する用紙後処理装置にも適用可能である。
【産業上の利用可能性】
【００７６】
この発明は、排紙ユニットは、排紙皿取付部を有する一対の側壁体と、排紙皿取付部に取り付けられた複数の排紙皿とで１つのユニットとしたから、部品点数が少なく、軽量かつコンパクトである。
【図面の簡単な説明】
【００７７】
【図１】用紙後処理装置と自動原稿送り装置と画像読み取り装置を装備した画像形成装置の全体構成図である。
【図２】用紙後処理装置の断面図である。
【図３】用紙後処理装置内の用紙の搬送、排紙過程を示す模式図である。
【図４】排紙モータの制御ブロック図である。
【図５】排紙ユニットを備える用紙後処理装置の平面図である。
【図６】排紙ユニットの側面図である。
【図７】排紙皿を増設した排紙ユニットの側面図である。
【図８】排紙ユニットを画像形成装置本体に組み付けた状態を示す側面図である。
【図９】排紙皿の正面図である。
【符号の説明】
【００７８】
１  画像形成装置
１Ａ  画像形成装置本体
１０  用紙搬送手段
２０  排紙手段
２４  中間スタッカ
２５  整合手段
３０  後処理手段
４１  排紙皿
１００  用紙後処理装置本体
１０２  排紙口
４００  排紙ユニット
４１０  側壁体
４１０ａ  排紙皿取付部
Ｐ１  第１の排紙経路
Ｐ２  第２の排紙経路
Ｍ２  排紙モータ
Ｓ  用紙
【図１】
2005097002.tif 000003
【図２】
2005097002.tif 000004
【図３】
2005097002.tif 000005
【図４】
2005097002.tif 000006
【図５】
2005097002.tif 000007
【図６】
2005097002.tif 000008
【図７】
2005097002.tif 000009
【図８】
2005097002.tif 000010
【図９】
2005097002.tif 000011